(57)【特許請求の範囲】
【請求項１】
多色刷輪転機の印刷ユニット間を走行する紙面に、紙幅方向に複数の凸部を有する段付きローラを当接するよう配置し、走行紙面に対する上記段付きローラの押し込み量を調整する調整機構を備えた多色刷輪転機の幅見当修正装置において、走行紙の幅方向の伸び量を検出する紙伸び検出装置と、同検出装置からの情報に基づいて走行紙に付与する張力の設定値を修正する設定張力制御装置と、上記走行紙の走行経路において同走行紙に係合されたダンサーローラとその加圧力調整用シリンダとによって上記の修正した設定値になるよう同走行紙の張力を制御する張力制御装置とを設けたことを特徴とする多色刷輪転機の幅見当修正装置。
【請求項２】
多色刷輪転機の印刷ユニット間を走行する紙面に、紙幅方向に複数の凸部を有する段付きローラを当接するよう配置し、走行紙面に対する上記段付きローラの押し込み量を調整する調整機構を備えた多色刷輪転機の幅見当修正装置において、上記輪転機の速度情報に基づいて走行紙に付与する張力の設定値を修正する設定張力制御装置と、上記走行紙の走行経路において同走行紙に係合されたダンサーローラとその加圧力調整用シリンダとによって上記の修正した設定値になるよう同走行紙の張力を制御する張力制御装置とを設けたことを特徴とする多色刷輪転機の幅見当修正装置。
【請求項３】
輪転機の速度情報に基づいて版面に付与する湿し水量を修正する制御回路を湿し水制御装置に付加したことを特徴とする請求項１又は請求項２に記載の多色刷輪転機の幅見当修正装置。
【請求項４】
段付きローラを走行紙の幅方向に２分割し、そのそれぞれの段付きローラに、走行紙面に対する押し込み量を調整する調整機構を備えたこと特徴とする請求項１、請求項２、又は請求項３に記載の多色刷輪転機の幅見当修正装置。
【発明の詳細な説明】
【０００１】
【発明の属する技術分野】
この発明は、多色刷輪転機の印刷ユニット間で発生する走行紙の幅方向の伸びに起因する見当ずれを修正する幅見当修正装置に関するものである。
【０００２】
【従来の技術】
平版オフセット印刷方式によって紙の表裏を同時に印刷する多色刷輪転機には、同床面に１列に並べた複数台の印刷ユニットの上下に配設した相接する表裏ブランケット胴間に、巻き取り紙を水平方向に通して印刷する形式のものと、タワー状に積み重ねた複数台の印刷ユニットの左右に配設した相接する表裏ブランケット胴間に、巻き取り紙を垂直方向に通して印刷する形式のものがある。
【０００３】
従来より、この種の輪転機では、走行紙が各印刷ユニットの表裏ブランケット胴間を通過するごとに、紙の表裏を同時に１色ずつ順次刷り合わせて多色刷りを行うので、走行紙は印刷ユニットを通過する度に湿し水を吸収し、特に紙幅方向に大きく伸びる。このため、走行紙は、後方の印刷ユニットに進むにつれて次第に扇形状に伸び、幅方向の見当が合わなくなる現象（以後ファンアウトと称す）が生じていた。したがってこのファンアウトに対処するため、この種の多色刷輪転機では、印刷ユニット間にエアノズルを設けたり、表面に複数の凸部を有する段付きローラを取り付けて、紙幅方向の伸びによる見当ずれを修正する装置が用いられるようになってきた。
【０００４】
図１０は、上記多色刷輪転機の一例として、複数台の印刷ユニットをタワー状に積み重ねた形式の平版オフセット印刷方式による多色刷輪転機の各印刷ユニット間に、段付きローラを用いた幅見当修正装置を取り付けた状態を示す図である。この輪転機は、４台の印刷ユニット２ａ，２ｂ，２ｃ，２ｄをタワー状に積み重ねたものである。１は走行紙、４は湿し装置である。印刷ユニット２ａと２ｂ間、２ｂと２ｃ間、２ｃと２ｄ間を走行する走行紙１に対し紙幅方向に複数の凸部を備えた段付きローラ１０を当接するように配設し、この段付きローラ１０には、走行紙面に対する押し込み量を調整する調整機構１５が設けられている。
【０００５】
図９は上記修正装置における段付きローラとその押し込み調整機構の平面図である。この段付きローラ１０は、同図に示すごとく、最大紙幅に対応した長さを有する一体型のローラ１１の表面に複数個のリング１２を軸方向に所定の間隔をおいて取付け、段付きローラ表面の凸部を形成している。そしてこの凸部表面が印刷ユニット間を走行する紙面に当接するように配設されている。
【０００６】
この段付きローラ１０の両端の軸１１ａ，１１ｂは、走行紙面に対するローラ押込み量調整機構１５の摺動部材１６に固設したアーム１３に回転自在に支持されている。そしてこのローラの駆動側の軸端１１ｂは、印刷ユニットの駆動源につながる歯車１４に連結している。前記押し込み量調整機構の摺動部材１６と螺合する調整軸１７ｂの先端にはモータ１８が、他方の調整軸１７ａの先端にはポテンショメータ１９が取付けられている。４０は駆動連結軸であって、その両端には傘歯車が設けられ、調整軸１７ａ，１７ｂに設けられている傘歯車とそれぞれ噛み合っている。これによって、調整軸１７ａは、モータ１８によって駆動される調整軸１７ｂと同じ回転を行う。上記ポテンショメータ１９は調整軸１７ａの回転を通じてローラ１１の押込み量を計測するためのものである。４１は上記各部を支えるフレームである。
【０００７】
以上のように構成された幅見当修正装置では、モータ１８によって調整軸１７ｂを回転させると、調整軸１７ａも回転し、その回転方向に応じて摺動部材１６が前・後進し、段付きローラ１０は、印刷ユニット間を走行する紙面に対してほぼ直角方向に移動する。これによって、ローラの凸部表面が走行紙面に押し込まれる量を変えることができる。段付きローラ１０を走行紙面に適量押し付けると、走行紙面に波打ち現象が発生して見掛け上の紙幅が縮小する。
【０００８】
したがって、この幅見当修正装置を備えた輪転機では、ファンアウト量を目視しながら調整軸を押しボタン操作によって回転させ、段付きローラ１０の押し込み量を調整して、走行紙面に皺が生じないように波打ち現象を起して短縮させた量が、前の印刷ユニットを通過して伸びた量と合致するように、次の印刷ユニットに進入する直前の走行紙の幅を修正して、紙の伸びによる幅方向の見当ずれを防ぐ。
【０００９】
【発明が解決しようとする課題】
上述したごとく、段付きローラを用いて紙幅方向の見当を修正する方法は、前の印刷ユニットを通過して幅方向に伸びた走行紙面に段付きローラを押し当てることにより、紙面に発生する波打ちによって、次の印刷をする直前の紙幅を縮小させた状態にするので、ファンアウトの修正は良好にできる。しかし、ファンアウト量は、版面に供給する湿し水の量、機械速度に大きく左右されるので、段付きローラの押し込み量を調整するだけでは、印刷状態の変化に対応して次の印刷ユニットに進入する直前の走行紙の縮小幅を、前の印刷ユニットを通過して伸びた幅と一致させ、しかも走行紙に皺が発生しない状態にすることは容易ではなく、この調整作業中に発生する損紙の量と時間を減らす必要があった。
【００１０】
したがって本発明は、これらの問題点を改善し、印刷状態の変化に即応した適切な修正が、迅速かつ自動的にでき、常に高品質の印刷物が得られる幅見当修正装置を提供しようとするものである。
【００１１】
【課題を解決するための手段】
本発明は上記課題を解決したものであって、多色刷輪転機の印刷ユニット間を走行する紙面に、紙幅方向に複数の凸部を有する段付きローラを当接するよう配置し、走行紙面に対する上記段付きローラの押し込み量を調整する調整機構を備えた多色刷輪転機の幅見当修正装置において、次の特徴を有する多色刷輪転機の幅見当修正装置に関するものである。
【００１２】
（１）走行紙の幅方向の伸び量を検出する紙伸び検出装置と、同検出装置からの情報に基づいて走行紙に付与する張力の設定値を修正する設定張力制御装置と、上記走行紙の走行経路において同走行紙に係合されたダンサーローラとその加圧力調整用シリンダとによって上記の修正した設定値になるよう同走行紙の張力を制御する張力制御装置とを設けた。
【００１３】
（２）輪転機の速度情報に基づいて走行紙に付与する張力の設定値を修正する設定張力制御装置と、上記走行紙の走行経路において同走行紙に係合されたダンサーローラとその加圧力調整用シリンダとによって上記の修正した設定値になるよう同走行紙の張力を制御する張力制御装置とを設けた。
【００１５】
（３）上記（１）項又は（２）項に記載の多色刷輪転機の幅見当修正装置において、輪転機の速度情報に基づいて版面に付与する湿し水量を修正する制御回路を湿し水制御装置に付加した。
【００１６】
（４）上記（１）項、（２）項、又は（３）項に記載の多色刷輪転機の幅見当修正装置において、段付きローラを走行紙の幅方向に２分割し、そのそれぞれの段付きローラに、走行紙面に対する押し込み量を調整する調整機構を備えた。
【００１７】
【発明の実施の形態】
図１は本発明の実施の第１形態に係る幅見当修正装置の構成図、図２は同実施形態に係る実験結果より得られたファンアウト修正量と設定張力との関係図である。図において２ａ，２ｂ，２ｃ，２ｄは各段の印刷ユニット、１は走行紙、１０は段付きローラ、１５は押し込み量調整装置であり、この構成は従来技術と同じである。７は最終段の印刷ユニット２ｄの出口に設けられた走行紙の幅方向の伸び量を検出する紙伸び検出装置、５は同検出装置に信号線を介して連なる設定張力制御装置であり、輪転機の給紙部から送り出されてくる走行紙１に付与している張力の設定値を、前記検出装置７で読み取ったファンアウト量の電気信号によって修正する装置である。６は張力制御装置であり、前記張力制御装置５によって修正した設定値になるよう走行紙１の張力を制御する装置である。３７は電空変換器、３０はエアシリンダ、３は走行紙の走行経路において走行紙に係合させてあるダンサーローラである。前記張力制御装置６は電空変換器３７を介してダンサーローラ３のエアシリンダ３０に供給するエア圧を制御するものである。上記以外の部分の構成および作用は従来技術（図９，図１０）と同じである。
【００１８】
本装置においては、輪転機の運転開始に先立って、押し込み量調整機構の調整軸１７ｂをモータ１８で回動して両側の摺動部材１６を前・後進させ、段付きローラ１１の凸部表面が、印刷ユニット間を走行する紙面に対して一定量押し込まれた状態にセットする。この押し込み量は、色数や、絵柄、紙厚などの印刷条件に基づく平均的な経験値であって、ポテンショメータ１９によって押し込み量が確認できる。
【００１９】
この状態で印刷運転を開始すると、段付きローラ１０の凸部表面が走行紙面に適量押し込まれているので、走行紙面に波打ち現象が発生し、しかも皺が生じない状態で紙幅が縮小する。しかし、この縮小させる量、即ち、修正できるファンアウト量は、図２に示すごとく、走行紙に付与される設定張力の値によって左右される。
【００２０】
一方、紙伸び検出装置７は最終印刷を終えた走行紙面を常時走査し、その電気信号を設定張力制御装置５に発信しているので、運転中におけるファンアウト量が許容範囲を超えると、設定張力制御装置５はその見当ずれ量を修正するに必要な設定張力の記憶値を読み出して、張力の設定値を修正する信号を紙張力の検出機構であるダンサーローラ３の加圧力調節用エアシリンダ３０に連係する電空変換器３７に送り、張力の設定値を自動的に修正し、張力制御装置６が走行紙の張力をその値になるように制御して、ファンアウトを許容範囲内におさめる。
【００２１】
よって本実施形態においては、段付きローラの押し込み量を一定にしておいても、見当ずれ量に応じ、走行紙に付与する紙張力の設定値を自動的に修正してファンアウト量を常に許容範囲内におさめるので、運転の容易化と損紙の削減化および品質の安定化に貢献できる。
【００２２】
図３は本発明の実施の第２形態に係る幅見当修正装置の構成図である。本装置は第１実施形態における幅方向紙伸び検出装置７の代りに、輪転機を駆動する主モータ８の回転数を検知するために設けられているタコジェネレータ３８を利用するものであり、タコジェネレータ３８の出力を電気信号線を介して設定張力制御装置５に接続したものである。設定張力制御装置５は、タコジェネレータ３８からの電気信号に基づいて、走行紙１に付与する張力の設定値を演算し、輪転機の給紙部から送り出されてくる走行紙に付与されていた張力の設定値を修正する。この修正した設定値になるように走行紙１の張力を制御する張力制御装置６を、ダンサーローラ３のエアシリンダ３０に供給するエア圧の制御系に連係させている。上記以外の部分の構成および作用は第１実施形態のものと同じである。
【００２３】
この実施形態でも、輪転機の運転開始に先立って、上記第１実施形態と同じ要領で段付きローラの凸部表面が、印刷ユニット間を走行する紙面に対して一定量押し込んだ状態にセットする。
【００２４】
この状態で印刷運転を開始すると、段付きローラの凸部表面が走行紙面に適量押し込まれているので、走行紙面に波打ち現象が発生し、しかも皺が生じない状態で紙幅が縮小する。しかし、この縮小させる量、即ち、修正すべきファンアウト量は、上記第１実施形態に記述したように、走行紙に付与される設定張力の値によって左右されるが、設定張力が一定の元では、ファンアウト量は印刷速度が上がると小さくなる。逆に、印刷速度を下げるとファンアウト量は大きくなる。
【００２５】
一方、印刷運転中にはタコジェネレータ３８から、常時、印刷速度情報の電気信号を設定張力制御装置５に発信しているので、減速するとファンアウトの大きくなる量を予測し、設定張力制御装置５はその見当ずれ量を修正するに必要な設定張力を演算して、張力の設定値を修正する信号をダンサーローラのエアシリンダに連係する電空変換器３７に送り、張力の設定値を自動的に修正し、紙張力制御装置６が走行紙１の張力をその値になるように制御して許容範囲内におさめる。
【００２６】
よって本実施形態においては、段付きローラの押し込み量を一定にしておいても、印刷速度が下がると、その減速された速度に応じて走行紙に付与している紙張力の設定値を自動的に修正するので、ファンアウト量を常に許容範囲内におさめることができる。
【００２７】
図４は本発明に係り検討した検討例の幅見当修正装置の構成図、図５は本検討例に係る実験結果で、ファンアウト量を一定にする場合の単位面積当りの湿し水量と印刷速度との関係を示す関係図である。本検討例は、輪転機を駆動する主モータ８の回転数を検知するタコジェネレータ３８からの電気信号に基づいて、輪転機の速度が上昇するに従って版面に付与する単位面積当たりの湿し水量を決められた関係で変化させる修正回路９ａを湿し水制御装置９に付加したものである。上記以外の部分の構成及び作用は従来技術と同じである。
【００２８】
この検討例においても、輪転機の運転開始に先立って、上記第１実施形態と同じ要領で段付きローラの凸部表面が印刷ユニット間を走行する紙面に対して一定量押し込まれた状態にセットする。
【００２９】
この状態で印刷運転を開始すると、段付きローラの凸部表面が走行紙面に適量押し込まれているので、走行紙面に波打ち現象が発生し、しかも皺が生じない状態で紙幅が縮小する。しかし、この縮小させる量、即ち、修正すべきファンアウト量は、走行紙に付与される湿し水量によって大きく左右される。
【００３０】
一方、湿し水の消費量は、印刷速度にほぼ比例して増加するので、従来より輪転機の湿し水制御装置９では、輪転機速度に追従して湿し水の供給量を増減させる運動制御が行われている。しかし、印刷速度が早くなると、走行紙１への湿し水の浸透度が相対的に遅くなるので、ファンアウト量は小さくなる。実験の結果、走行紙面に段付きローラ１０を一定量押し込んだままの状態で、ファンアウト量を一定にする場合の単位面積当たりの湿し水量と印刷速度の関係は、第５図のグラフに示すごとき曲線となる。
【００３１】
したがって、上記実験結果に基づく修正回路９ａを従来の湿し水制御装置９に付加した本検討例では、タコジェネレータ３８から速度情報の電気信号を受信した湿し水制御装置の修正回路９ａは、輪転機の速度が上昇するに従って版面に供給する湿し水量を、この決められた関係で変化させるように修正して、ファンアウトを許容範囲内におさめる。
【００３２】
よって本検討例においては、段付きローラの押し込み量を一定にしておいても、印刷速度に応じて版面を経由して走行紙面に付与される湿し水量を自動的に修正するので、人手を要せずファンアウト量を常に許容範囲内におさめることができる。
【００３３】
図６は本発明の実施の第３形態に係る幅見当修正装置の構成図である。本実施形態は、前述の第１実施形態と本発明に係る上記検討例の技術を共に従来技術の項で述べた多色刷輪転機（図９，図１０）に適用したものである。
【００３４】
即ち、段付きローラ１０とその押し込み量調整機構１５を具備した輪転機を駆動する主モータ８の回転数を検知するタコジェネレータ３８からの電気信号に基づいて、輪転機の速度が上昇するに従って版面に付与する単位面積当たりの湿し水量を決められた関係で変化させる修正回路９ａを湿し水制御装置９に付加するとともに、輪転機の最後の印刷ユニット２ｄの出口に、走行紙１の幅方向の伸び量を検出する紙伸び検出装置７を取り付ける。そして輪転機の給紙部から送り出されてくる走行紙１に付与している張力の設定値を、前記紙伸び検出装置７で読み取ったファンアウト量の電気信号によって修正するための設定張力制御装置５と、この修正した設定値になるように走行紙１の張力を制御する張力制御装置６を、ダンサーローラ３のエアシリンダ３０に供給するエア圧の制御系に連係させたものである。
【００３５】
この実施形態でも、輪転機の運転開始に先立って、上記第１実施形態と同じ要領で段付きローラの凸部表面が、印刷ユニット間を走行する紙面に対して一定量押し込まれた状態にセットする。そしてこの状態で印刷運転を開始すると、段付きローラの凸部表面が走行紙面に適量押し込まれているので、走行紙面に波打ち現象が発生し、しかも皺が生じない状態で紙幅が縮小する。この場合における段付きローラ１０とその押し込み量調整機構１５および紙伸び検出装置７と設定張力制御装置５と紙張力制御装置６の作用は上記第１実施形態の場合と同じである。また、速度情報による湿し水制御装置９の修正回路９ａの作用は、上記検討例の場合と同じである。
【００３６】
よって本実施形態においては段付きローラの押し込み量を一定にしておいても、印刷速度に応じて版面を経由して走行紙面に付与される湿し水量を自動的に修正するとともに、見当ずれ量に応じて走行紙に付与する紙張力の設定値を自動的に修正するので、ファンアウト量を常に許容範囲内におさめ、更に品質の安定した印刷ができる。
【００３７】
図７は本発明の実施の第４形態に係る幅見当修正装置の構成図である。本実施形態は、前述の第２実施形態と本発明に係る上記検討例の技術を共に従来技術の項で述べた多色刷輪転機（図９，図１０）に適用したものである。
【００３８】
即ち、輪転機を駆動する主モータ８の回転数を検知するタコジェネレータ３８からの電気信号に基づいて、輪転機の速度が上昇するに従って版面に付与する単位面積当たりの湿し水量を決められた関係で変化させる修正回路９ａを湿し水制御装置９に付加するとともに、前記タコジェネレータ３８からの電気信号に基づいて、走行紙１に付与する張力の設定値を修正するための設定張力制御装置５と、この修正した設定値になるように走行紙１の張力を制御する張力制御装置６を、ダンサーローラ３のエアシリンダ３０に供給するエア圧の制御系に連係させたものである。
【００３９】
この実施形態においても輪転機の運転開始に先立って、上記第１実施形態と同じ要領で段付きローラの凸部表面が、印刷ユニット間を走行する紙面に対して一定量押し込まれた状態にセットする。そしてこの状態で印刷運転を開始すると、段付きローラの凸部表面が走行紙面に適量押し込まれているので、走行紙面に波打ち現象が発生し、しかも皺が生じない状態で紙幅が縮小する。この場合における速度情報による設定張力制御装置５と、張力制御装置６の作用は上記第２実施形態の場合と同じである。また、速度情報による湿し水制御装置９の修正回路９ａの作用は、上記検討例の場合と同じである。
【００４０】
よって本実施形態においては、段付きローラの押し込み量を一定にしておいても、印刷速度に応じて版面を経由して走行紙面に付与される湿し水量を自動的に修正するとともに、減速時の印刷速度に応じて走行紙に付与する紙張力の設定値を自動的に修正するので、ファンアウト量を常に許容範囲内におさめ、更に品質の安定した印刷ができる。
【００４１】
図８は本発明の実施の第５形態に係る幅見当修正装置における段付きローラとその押し込み調整機構の平面図である。本装置は前述の第１〜第４実施形態がその適用対象とした図９の段付きローラとその押し込み調整機構に替えて、適用対象として用いられるものである。即ち、多色刷輪転機の印刷ユニット間を走行する紙面に当接するように配設した段付きローラを、図８に示すように紙幅方向に２分割し、この２分割したそれぞれの段付きローラに、走行紙面に対する押し込み量を調整する調整機構を具備させたものである。
【００４２】
上記分割型段付きローラ２０は、最大紙幅の中央で２分割した長さを有する分割型ローラ２１の各々の表面に複数個のリング２２を軸方向に一定の間隔をおいて取り付け、段付きローラ表面の凸部を形成している。そして各ローラの両端の軸２１ａ，２１ｂは、同図に示すごとく、２分割した中空軸２４に固設したアーム２３ａ，２３ｂに回転自在に支持されている。それぞれの中空軸２４，２４はこの中空軸内を貫通するそれぞれの支持軸３１，３１に回転自在に保持されている。また、それぞれの支持軸の中央側軸端は、フレーム４１間を連結するステイ４２の中央に固設した中間部材３２に回転自在に保持され、それぞれの支持軸のフレーム側軸端は、フレームに取り付けの支持部材に軸着している。そしてローラ軸を保持するフレーム側のアーム２３ａに固設の作動片２６は、押し込み量調整用の調整軸２７に螺合し、それぞれの調整軸の先端にはモータ２８が取り付けられている。さらに前記押し込み量調整用の作動片２６は、ポテンショメータ２９に係合している。
【００４３】
この実施形態では、輪転機の運転開始に先立って、分割型段付きローラのそれぞれの押し込み量調整機構の調整軸２７をモータ２８で回動してアーム２３ａを旋回させ、段付きローラの凸部表面が、印刷ユニット間を走行する紙面に対して一定量押し込まれた状態でセットする。この押し込み量は、色数や絵柄などの印刷条件に基づく平均的な経験値であるが、特に紙面の操作側と駆動側の色数や絵柄などが極端に相違する場合は、操作側と駆動側の押し込み量を僅かに変え、その押し込み量はそれぞれのポテンショメータ２９によって確認できる。この状態で印刷運転を開始すると、それぞれの段付きローラの凸部表面が走行紙面に適量押し込まれているので、走行紙面に波打ち現象が発生し、しかも皺が生じない状態で紙幅が縮小する。
【００４４】
本実施形態における分割式段付きローラ２０とその押し込み量調整機構２５以外の作用は、上記第１〜第４実施形態に記載のものと同じである。よって本実施形態においては、紙面の操作側と駆動側の色数や絵柄などが極端に相違するような場合でも、それぞれの段付きローラの押し込み量を微量に変えられ、適量に設定しておけば、運転中は印刷条件に応じて走行紙に付与する張力の設定値や版面に供給する湿し水量を自動的に修正するので、人手を要せず、ファンアウト量を常に許容範囲内におさめ、高品質の安定した印刷ができる。
【００４５】
【発明の効果】
本発明の多色刷輪転機の幅見当修正装置は、以上のように印刷ユニット間を走行する紙面に段付きローラの凸部を押し込むことによって、前の印刷ユニットを通過して伸びた紙幅分を、波打ちによって次の印刷ユニットに進入する直前に縮小させて、ファンアウト量を許容範囲内におさめるものであるが、ファンアウト量は、版面に供給する湿し水の量、機械速度、走行紙に付与する張力の設定値などの運転状態に左右される現象に着目し、その実験結果を本修正装置に反映させているので、以下に示すような効果を奏する。
（１）段付きローラの押し込み量は、運転開始前に印刷条件に応じて設定しておくだけで、運転中の状態変化に対しては、ファンアウト量に影響する因子の制御系を自動的に修正することによって対応するので、押し込み量を調整する必要がなくなり、運転条件が容易になり、省力効果が大である。
（２）運転中に段付きローラの押し込み量を調整する必要がなくなるので、調整過程で発生する皺の問題から解放されるとともに、損紙が減少する効果が大である。
（３）上記（１）項より運転状態の変化に対応して、直ちに効果的な自動修正が行われるので、ファンアウト量を常に許容範囲内に収めることができ、安定した高品質の印刷物が得られる。
【図面の簡単な説明】
【図１】  本発明の実施の第１形態に係る幅見当修正装置の構成図。
【図２】  同実施形態に係る実験結果より得られたファンアウト修正量と設定張力との関係図。
【図３】  本発明の実施の第２形態に係る幅見当修正装置の構成図。
【図４】  本発明に係り検討した検討例の幅見当修正装置の構成図。
【図５】  同検討例に係る実験結果より得られた印刷速度と単位面積当りの湿し水量の関係図。
【図６】  本発明の実施の第３形態に係る幅見当修正装置の構成図。
【図７】  本発明の実施の第４形態に係る幅見当修正装置の構成図。
【図８】  本発明の実施の第５形態に係る幅見当修正装置における段付きローラとその押し込み調整機構の平面図。
【図９】  従来の段付きローラとその押し込み調整機構の平面図。
【図１０】  従来の多色刷輪転機の構成図であり、印刷ユニットに段付きローラを配設した状態を示す図。
【符号の説明】
１                        走行紙
２ａ，２ｂ，２ｃ，２ｄ    印刷ユニット
３                        ダンサーローラ
４                        湿し装置
５                        設定張力制御装置
６                        張力制御装置
７                        紙伸び検出装置
８                        主モータ
９                        湿し水制御装置
９ａ                      修正回路
１０，２０                段付きローラ
１１，２１                ローラ
１２，２２                リング
１３，２３ａ，２３ｂ      アーム
１４                      歯車
１５，２５                押し込み量調整機構
１６                      摺動部材
１７ａ，１７ｂ，２７      調整軸
１８，２８                モータ
１９，２９                ポテンショメータ
２４                      中空軸
２６                      作動片
３０                      エアシリンダ
３１                      支持軸
３２                      中間部材
３７                      電空変換器
３８                      タコジェネレータ
４０                      駆動連結軸
４１                      フレーム
４２                      ステイ
【図１】
0003771611.tif 000002
【図２】
0003771611.tif 000003
【図３】
0003771611.tif 000004
【図４】
0003771611.tif 000005
【図５】
0003771611.tif 000006
【図６】
0003771611.tif 000007
【図７】
0003771611.tif 000008
【図８】
0003771611.tif 000009
【図９】
0003771611.tif 000010
【図１０】
0003771611.tif 000011